(57)【要約】清掃具用ケース（１）は、筒状体には、清掃具（１０）に支持された粘着テープロールが軸方向に沿って収脱可能となるように、軸方向の一端（１ａ）における一端開口（５）と、周方向の所定幅、かつ、軸方向一端（１ａ）から少なくとも中央部（１ｃ）に亘る筒壁開口（７）とが形成されており、該筒壁開口（７）を形成する筒壁縁部（７ａ）のうち、軸方向一端（１ａ）から少なくとも中央部（１ｃ）に沿う部分に凸設され、鍔部（１３）が摺動可能な下レール部（８）と、該下レール部（８）の軸方向における一端（８ａ）側を除く中央部側において、下レール部（８）に対して筒状体の径方向外側に離間して設けられ、下レール部（８）との間に鍔部（１３）を保持可能な上レール部（９）とを備えることを特徴とする。
2015056310.tif 000002
【特許請求の範囲】
【請求項１】
粘着面を有するテープ状基材を巻回してなる粘着テープロールを該ロールの中心軸線回りに回転可能に支持する本体部と該本体部に前記ロールの径方向外向きに凸設される鍔部とを備える清掃具によって支持された粘着テープロールを収容可能な筒状体をなす清掃具用ケースであって、  筒状体には、清掃具に支持された粘着テープロールが軸方向に沿って収脱可能となるように、軸方向一端における一端開口と、周方向の所定幅、かつ、軸方向一端から少なくとも中央部に亘る筒壁開口とが形成されており、  該筒壁開口を形成する筒壁縁部のうち、軸方向一端から少なくとも中央部に沿う部分に凸設され、鍔部が摺動可能な下レール部と、  該下レール部の軸方向における一端側を除く中央部側において、下レール部に対して筒状体の径方向外側に離間して設けられ、下レール部との間に鍔部を保持可能な上レール部とを備えることを特徴とする清掃具用ケース。
【請求項２】
前記本体部には、把持可能な取手が凸設されており、  前記上レール部は、鍔部が下レール部上を摺動される際に、取手が筒壁開口内を軸方向に沿って移動されるように、前記筒壁縁部の軸方向中央部側に軸方向に沿って凸設されており、  該上レール部は、清掃具に支持された粘着テープロールが筒状体に収容された状態で、清掃具の鍔部が下レール部の前記一端側に摺動されることを抑制すべく、取手に係脱可能に係合する係合用突起を備えることを特徴とする請求項１記載の清掃具用ケース。
【請求項３】
下レール部の軸方向の長さにおいて、軸方向の一端側であって上レール部が対向していない部分の長さと、軸方向の中央部側であって上レール部が対向している部分の長さとの比は、１：３乃至３：１であることを特徴とする請求項１又は２記載の清掃具用ケース。
【請求項４】
請求項１乃至３の何れか一項に記載の清掃具用ケースと、該清掃具用ケースに収容される粘着テープロールを支持する請求項１又は２に記載の清掃具とを備えるケース付清掃具。
【請求項５】
前記筒壁開口は、軸方向一端から中央部に亘って形成されており、  筒状体のうち、筒壁開口よりも軸方向他端側であって軸方向中央部側から他端に亘る筒壁部、又は、本体部の何れか一方は、鍔部が下レール部に載置された状態において、筒状体の軸方向に沿った平面形状をなし、他方は、前記一方に向けて凸をなす湾曲形状をなして構成されており、  前記湾曲形状と前記平面形状とは、鍔部が下レール部上を摺動されて、清掃具に支持された粘着テープロールが筒状体に対して所定の収容位置に収容されるときに、本体部が筒壁部に当接される状態となるように構成されることを特徴とする請求項４に記載のケース付清掃具。
【発明の詳細な説明】
【技術分野】
【０００１】  本発明は、粘着面を有するテープ状基材を巻回してなる粘着テープロールを支持可能な清掃具によって支持された粘着テープロールを収容するための清掃具用ケースと、該清掃具用ケース及び前記清掃具を備えてなるケース付清掃具とに関する。
【背景技術】
【０００２】  従来、この種のケース付清掃具の清掃具用ケースとして、半円筒形状を有する一対のカバーメンバからなり、各カバーメンバを互いに回動させて開閉させることにより、内部に粘着テープロールが収納されるものが知られている（例えば、特許文献１，２）。【０００３】  かかる清掃具用ケースは、粘着テープロールの巻芯に沿って挿入されるテープ支持部と、一端側がテープ支持部を回転可能に支持し、他端に把持可能なグリップ部を有する支持シャフトとを備えてなる清掃具によって支持された粘着テープロールを収容可能に構成されている。
【先行技術文献】
【特許文献】
【０００４】
【特許文献１】日本国特開２００３−２６５４０１号公報
【特許文献２】日本国特開２００４−０７３５６２号公報
【発明の概要】
【発明が解決しようとする課題】
【０００５】  しかしながら、上記従来の清掃具用ケースでは、清掃具を収脱するときに、各カバーメンバを互いに回動させて開閉させることを要するため、使い勝手の点で改善の余地があった。【０００６】  そこで、本発明は、上記改善点に鑑みてなされたもので、清掃具の収脱が容易にできて、使い勝手が良い清掃具用ケースとケース付清掃具とを提供することを課題とする。
【課題を解決するための手段】
【０００７】  本発明に係る清掃具用ケースは、上記課題を解決するためになされたもので、粘着面を有するテープ状基材を巻回してなる粘着テープロールを該ロールの中心軸線回りに回転可能に支持する本体部と該本体部に前記ロールの径方向外向きに凸設される鍔部とを備える清掃具によって支持された粘着テープロールを収容可能な筒状体をなす清掃具用ケースであって、筒状体には、清掃具に支持された粘着テープロールが軸方向に沿って収脱可能となるように、軸方向一端における一端開口と、周方向の所定幅、かつ、軸方向一端から少なくとも中央部に亘る筒壁開口とが形成されており、該筒壁開口を形成する筒壁縁部のうち、軸方向一端から少なくとも中央部に沿う部分に凸設され、鍔部が摺動可能な下レール部と、該下レール部の軸方向における一端側を除く中央部側において、下レール部に対して筒状体の径方向外側に離間して設けられ、下レール部との間に鍔部を保持可能な上レール部とを備えることを特徴とする。【０００８】  かかる清掃具用ケースによれば、清掃具に支持された粘着テープロールは、一端開口と筒壁開口を介して筒状体に収容される。その際、清掃具の鍔部は、下レール部の軸方向における一端側に載置されて、軸方向中央部側に向けて下レール部上を摺動され、下レール部の中央部側において、下レール部と上レール部とによって保持される。【０００９】  一方、このように収容された、清掃具に支持された粘着テープロールは、一端開口と筒壁開口を介して筒状体から取り出される。その際、清掃具の鍔部は、下レール部上を軸方向の中央部側から一端側に摺動され、下レール部の一端側において、前記保持が解除される。【００１０】  このように、かかる清掃具用ケースによれば、清掃具に支持された粘着テープロールの収脱が容易にできて使い勝手が良い。【００１１】  また、本発明に係る清掃具用ケースでは、前記本体部には、把持可能な取手が凸設されており、前記上レール部は、鍔部が下レール部上を摺動される際に、取手が筒壁開口内を軸方向に沿って移動されるように、前記筒壁縁部の軸方向中央部側に軸方向に沿って凸設されており、該上レール部は、清掃具に支持された粘着テープロールが筒状体に収容された状態で、清掃具の鍔部が下レール部の前記一端側に摺動されることを抑制すべく、取手に係脱可能に係合する係合用突起を備えるように構成されることも可能である。【００１２】  かかる清掃具用ケースによれば、鍔部が下レール部上を摺動される際に、上レール部によって、取手が筒壁開口内を軸方向に沿って移動されるため、取手を把持して清掃具を筒状体に対して操作することができ、清掃具に支持された粘着テープロールの収脱が容易にできて使い勝手が良い。また、清掃具に支持された粘着テープロールが筒状体に収容された状態で、係合用突起が取手に係合することによって、清掃具の鍔部が下レール部の前記一端側に軸方向に沿って摺動されることを抑制でき、清掃具に支持された粘着テープロールが筒状体から不用意に取り出されることを防止できる。また、前記収容された粘着テープロールを筒状体から取り出す際には、係合用突起による取手の係合を解除することで、清掃具の鍔部が下レール部の前記一端側に軸方向に沿って摺動される。【００１３】  また、本発明に係る清掃具用ケースでは、下レール部の軸方向の長さにおいて、軸方向の一端側であって上レール部が対向していない部分の長さと、軸方向の中央部側であって上レール部が対向している部分の長さとの比は、１：３乃至３：１であるように構成されることも可能である。【００１４】  かかる清掃具用ケースによれば、清掃具に支持された粘着テープロールが筒状体に収容される際に、鍔部は、下レール部の軸方向における一端側に対して確実に載置できると共に、鍔部は、軸方向中央部側に向けて下レール部上を摺動された際に、下レール部の中央部側において、下レール部と上レール部とによって確実に保持される。【００１５】  また、本発明に係るケース付清掃具は、前記清掃具用ケースと、該清掃具用ケースに収容される粘着テープロールを支持する前記清掃具とを備えて構成される。【００１６】  また、本発明に係るケース付清掃具では、前記筒壁開口は、軸方向一端から中央部に亘って形成されており、筒状体のうち、筒壁開口よりも軸方向他端側であって軸方向中央部側から他端に亘る筒壁部、又は、本体部の何れか一方は、鍔部が下レール部に載置された状態において、筒状体の軸方向に沿った平面形状をなし、他方は、前記一方に向けて凸をなす湾曲形状をなして構成されており、前記湾曲形状と前記平面形状とは、鍔部が下レール部上を摺動されて、清掃具に支持された粘着テープロールが筒状体に対して所定の収容位置に収容されるときに、本体部が筒壁部に当接される状態となるように構成されることが可能である。【００１７】  かかるケース付清掃具によれば、清掃具に支持された粘着テープロールが筒状体に収容されるように鍔部が下レール部上を摺動されて、本体部と前記筒壁部とが当接した状態になったとき、前記粘着テープロールが筒状体に対して所定の収容位置に収容されるため、清掃具に支持された粘着テープロールを清掃具用ケースに対して的確に収容できる。
【発明の効果】
【００１８】  以上のように、本発明に係る清掃具用ケース、ケース付清掃具によれば、清掃具に支持された粘着テープロールを清掃具用ケースに収容する際に、清掃具の鍔部は、下レール部の軸方向における一端側に載置されて、軸方向中央部側に向けて下レール部上を摺動され、下レール部の中央部側において、下レール部と上レール部とによって保持される一方、このように収容された粘着テープロールを筒状体から取り出す際には、清掃具の鍔部は、下レール部上を軸方向の中央部側から一端側に摺動され、下レール部の一端側において、前記保持が解除されるため、清掃具に支持された粘着テープロールの収脱が容易にできて使い勝手が良い。
【図面の簡単な説明】
【００１９】
【図１】本発明の一実施形態に係る清掃具用ケースの斜視図を示す。
【図２】同清掃具用ケースの正面図を示す。
【図３】同清掃具用ケースの平面図を示す。
【図４】同清掃具用ケースの左側面図を示す。
【図５】同実施形態に係る清掃具の正面図を示す。
【図６】同清掃具の右面図を示す。
【図７】同清掃具を清掃具用ケースに収容した状態の斜視図を示す。
【図８】図７のＡ−Ａ線断面図を示す。
【発明を実施するための形態】
【００２０】  以下、本発明に係るケース付清掃具、清掃具用ケースの一実施形態について、図面を参照しつつ説明する。
【００２１】  本実施形態に係るケース付清掃具は、図７に示すように、粘着テープロール（図示せず）を支持するための清掃具１０と、清掃具１０によって支持される粘着テープロールを収容する清掃具用ケース１とを備えてなる。
【００２２】  粘着テープロールは、粘着面を有するテープ状基材を巻回してなる。本実施形態の粘着テープロールは、少なくとも一方の面が粘着面となっているテープ状基材を、中心線上に筒状に巻回してなる清掃用のものである。詳細には、粘着テープロールは、中心線上に沿って軸孔が形成されるように、テープ状基材を粘着面である一方の面を外側にして中心線の周りに巻回してなる。
【００２３】  清掃具１０は、粘着テープロールを該ロールの中心軸線回りに回転可能に支持するように構成される。本実施形態の清掃具１０は、図５，６に示すように、粘着テープロールの軸孔（筒孔）に挿通される芯体１１と、該芯体１１が設けられる本体部１２とを備える。
【００２４】  本体部１２は、粘着テープロール又は芯体１１の軸方向の長さに対応する長尺な形状をなし、長手方向中央部側が高さ方向（長手方向及び短手方向に直交する方向）上方に凸をなす湾曲形状をなす。この本体部１２は、芯体１１の軸方向一端部１１ａと他端部１１ｂとを各々支持する一端支持部１２ａと他端支持部１２ｂとを有する。一端支持部１２ａと他端支持部１２ｂとは、本体部１２の長手方向両端部から高さ方向下方に延設されている。
【００２５】  そして、芯体１１の一端部１１ａは、該一端部１１ａを起点として芯体１１を本体部１２に対して可動可能となるように、一端支持部１２ａに連結されている。また、芯体１１の他端部１１ｂは、他端支持部１２ｂに係脱可能に係止されるように構成されている。従って、芯体１１の他端部１１ｂが他端支持部１２ｂに係止された状態では、一端部１１ａを起点とした芯体１１の前記可動は規制されている。一方、前記係止が解除された状態では、一端部１１ａが起点となり、他端部１１ｂが他端支持部１２ｂから開放された自由端となって、芯体１１が本体部１２に対して可動するように構成されている。
【００２６】  この本体部１２には、粘着テープロールの径方向外向きに凸設される鍔部１３が設けられている。具体的には、本体部１２の長手方向に沿う側面には、長手方向の一端側から他端側に亘って長手方向（粘着テープロール又は芯体１１の軸方向）に沿って連続的に設けられ、短手方向外向きに突出する鍔部１３が形成されている。即ち、鍔部１３は、本体部１２の長手方向に沿う各側面に互いに短手方向外向きとなるように、一対設けられている。この鍔部１３は、長手方向に沿う長尺な形状をなしており、高さ方向下面が平面状をなし、高さ方向上面の長手方向中央部側が高さ方向上方に凸をなす湾曲形状をなす。
【００２７】  また、本体部１２には、把持可能な棒状の取手１４が高さ方向に凸設されている（図５参照）。取手１４は、高さ方向に長尺な前壁部１４ａと、前壁部１４ａの長辺に奥行方向裏方に向けて立設され、短手方向に対向する一対の側壁部１４ｂ、１４ｂとを有する。前壁部１４ａの短手方向中央部は、奥行方向前方に凸をなす湾曲形状をなす。また、前壁部１４ａの奥行方向裏面における短手方向中央部の高さ方向に沿う部位には、一対の側壁部１４ｂ、１４ｂよりも奥行方向裏方に高く凸設される中央壁部１４ｃが形成されている（図６，７参照）。
【００２８】  本実施形態に係る清掃具用ケース１は、図１から図４に示すように、筒状体をなす。筒状体は、中空部を有する中空体である。筒状体は、図１に示すように、清掃具１０（本体部１２）の長手方向の長さに対応する長尺な板状をなす底壁部２と、底壁部２の各長辺に立設されて短手方向に対向する一対の側壁部３，３と、一対の側壁部３，３の高さ方向端部同士を長手方向の中央部側から他端側に亘って連結する天壁部４とを備える。この筒状体の軸方向の長さは、清掃具１０（本体部１２）の長手方向の長さよりも長く構成されている。
【００２９】  底壁部２は、略矩形板状をなす。一対の側壁部３，３は、図４に示すように、高さ方向の中央部側が互いに外向きに凸をなす湾曲形状をなす。また、天壁部４は、図２，４に示すように、軸方向に沿って平面形状をなす。かかる天壁部４の平面形状は、本体部１２の湾曲形状（高さ方向上方に凸形状）に対して、鍔部１３が下レール部８上を摺動されて、清掃具１０に支持された粘着テープロールが筒状体に対して所定の収容位置に収容されるときに、本体部１２が天壁部４に当接される状態となるように構成されている。
【００３０】  このような筒状体には、軸方向一端１ａ及び他端１ｂの各々における一端開口５及び他端開口６と、周方向の所定幅、かつ、軸方向一端１ａから中央部１ｃに亘る筒壁開口７とが形成されている（図１，４参照）。一端開口５と筒壁開口７とは、清掃具１０に支持された粘着テープロールを軸方向に沿って収脱可能とするための開口であり、他端開口６は、軽量化又は意匠性の向上のための開口である。
【００３１】  かかる筒状体は、図１，３に示すように、筒壁開口７を形成する筒壁縁部７ａの軸方向一端１ａから軸方向に沿って他端１ｂに亘る部分に凸設されて鍔部１３が摺動可能な下レール部８と、該下レール部８の軸方向における一端８ａ側を除く中央部８ｃ側において、下レール部８に対して筒状体の径方向外側に離間して設けられ、下レール部８との間に鍔部１３を保持可能な上レール部９とを備える。
【００３２】  下レール部８は、鍔部１３が軸方向に沿って摺動されるように、鍔部１３を載置可能な一対の対向するレール部であり、各レール部は、軸方向に沿った平面形状をなす（図４参照）。下レール部８の軸方向の一端８ａ側は、上レール部９に対向しておらず筒壁開口７に面する一端側部分８Ａであり、軸方向の中央部８ｃ側は、上レール部９に対向している中央部側部分８Ｃであり、軸方向の他端８ｂ側は、天壁部４に対向している他端側部分８Ｂである（図３参照）。
【００３３】  下レール部８の一端側部分８Ａは、筒壁開口７に面しているため、筒壁開口７を介して鍔部１３が載置自在になっている。また、下レール部８の中央部側部分８Ｃは、径方向外側から上レール部９によって覆われており、中央部側部分８Ｃと上レール部９との間において、鍔部１３の径方向外側への移動を規制可能にしている。また、下レール部８の他端側部分８Ｂは、径方向外側から天壁部４によって覆われており、他端側部分８Ｂと天壁部４との間において、鍔部１３の径方向外側への移動を規制可能にしている。
【００３４】  また、下レール部８の軸方向の長さにおいて、一端側部分８Ａの長さと、中央部側部分８Ｃの長さとの比は、１：３乃至３：１である。本実施形態では、かかる比は、１：１であり、即ち、軸方向の長さにおいて、一端側部分８Ａと中央部側部分８Ｃとは略等しく構成されている（図３参照）。尚、本実施形態では、一端側部分８Ａと中央部側部分８Ｃと他端側部分８Ｂとの軸方向長さの比は概ね、１：１：１．５である。
【００３５】  上レール部９は、対向する一対のレール部であり、各レール部は、軸方向に沿った平面形状をなす（図３，４参照）。上レール部９は、鍔部１３が下レール部８上を摺動される際に、取手１４が筒壁開口内を軸方向に沿って移動されるように、筒壁縁部７ａの軸方向中央部側に軸方向に沿って凸設されている。具体的には、上レール部９は、筒状体の軸方向中央部１ｃ側における天壁部４の長手方向一端側の部分が、短手方向中央部の所定幅で長手方向に沿って切り欠かれることによって形成されている（図３参照）。この上レール部９は、一対の側壁部３，３の高さ方向端部における長手方向中央部側に設けられている。かかる上レール部９の長手方向に沿う縁部のうち、一端側から所定の長さ離間した位置には、互いに接近するように突出して対向する一対の係合用突起９０が形成されている（図３参照）。上レール部９の長手方向において、係合用突起９０が形成されている位置から天壁部４までの長さは、取手１４の一の側壁部１４ｂと中央壁部１４ｃとの間の長さに相当する。
【００３６】  係合用突起９０は、鍔部１３が下レール部８上を摺動される際に、取手１４に係脱可能に係合するように構成されている。特に、係合用突起９０は、清掃具１０に支持された粘着テープロールが筒状体に対して所定の収容位置に収容された状態で、清掃具１０の鍔部１３が下レール部８の一端８ａ側に摺動されることを抑制すべく、取手１４の奥行方向前方に凸をなす前壁部１４ａと奥行方向裏方に凸をなす中央壁部１４ｃとに係脱可能に係合するように構成されている（図７，８参照）。
【００３７】  以上の構成からなるケース付清掃具の清掃具用ケース１には、清掃具１０によって支持される粘着テープロールが収脱される。
【００３８】  まず、清掃具１０の芯体１１の他端部１１ｂと本体部１２の他端支持部１２ｂとの係止を解除し、一端部１１ａを起点にして芯体１１を本体部１２に対して所望位置まで移動させて、芯体１１の他端部１１ｂと本体部１２の他端支持部１２ｂとを十分に離間させることによって、芯体１１に対して他端部１１ｂ側から一端部１１ａ側に向けて粘着テープロールを挿通させる。芯体１１に粘着テープロールを挿通させた後、芯体１１の他端部１１ｂと本体部１２の他端支持部１２ｂとの係止させることで、清掃具１０は、粘着テープロールを中心軸線回りに回転可能に支持する状態になる。
【００３９】  このように清掃具１０に支持された粘着テープロールは、一端開口５と筒壁開口７を介して筒状体に収容される。
【００４０】  その際、清掃具１０の鍔部１３（詳細には、鍔部１３の長手方向の一端側又は他端側）は、下レール部８の軸方向における一端８ａ側に載置されて、軸方向他端８ｂ側に向けて下レール部８上を摺動される。鍔部１３の長手方向中央部は、下レール部８の中央部８ｃ側において、下レール部８と上レール部９とによって径方向の移動が規制されて保持（係合）される（図７，８参照）。また、鍔部１３の長手方向他端部は、下レール部８の他端８ｂ側において、下レール部８と天壁部４とによって径方向の移動が規制されて保持（係合）される。
【００４１】  このような鍔部１３の摺動に伴って、取手１４は、筒状体の軸方向一端１ａ側から中央部１ｃ側に筒壁開口７内を軸方向に沿って移動され、天壁部４によって移動規制される。取手１４（前壁部１４ａと中央壁部１４ｃ）が係合用突起９０を通過する際には、取手１４は、係合用突起９０による抑制（抵抗）に抗して一端１ａ側から中央部１ｃ側に移動され、使用者は、取手１４を介してクリック感覚を受ける。このとき、取手１４の短手方向半分側（即ち、中央壁部１４ｃから一の側壁部１４ｂまでの部分）は、上レール部９の長手方向に沿う部位のうち、係合用突起９０が形成されている位置から天壁部４までの部位と、天壁部４と、係合用突起９０とによって画定される中央領域Ｓに位置される（図３，７参照）。また、このとき、本体部１２の湾曲形状と天壁部４の平面形状とは互いに当接する。このように取手１４が前記中央領域Ｓに位置し、本体部１２と天壁部４とが当接した状態において、清掃具１０に支持された粘着テープロールは、筒状体に対して所定の収容位置に収容された状態となる。
【００４２】  このように粘着テープロールが所定の収容位置に収容された状態において、取手１４は、係合用突起９０によって係合されている。そのため、清掃具１０の鍔部１３が下レール部８の一端８ａ側に軸方向に沿って摺動されることが抑制されている。
【００４３】  収容された粘着テープロールを筒状体から取り出す際には、係合用突起９０による取手１４の係合を解除することで、清掃具１０の鍔部１３を下レール部８の一端８ａ側に軸方向に沿って摺動させる。
【００４４】  そして、清掃具１０の鍔部１３は、下レール部８上を軸方向の他端８ｂ側から一端８ａ側に摺動され、下レール部８の一端８ａ側において、上レール部９及び天壁部４による径方向外側への移動規制が解除され、下レール部８と上レール部９及び天壁部４とによる保持（係合）が解除される。その結果、清掃具１０に支持された粘着テープロールは、一端開口５と筒壁開口７を介して筒状体から取り出される。
【００４５】  以上、本実施形態に係るケース付清掃具、清掃具用ケース１によれば、清掃具１０に支持された粘着テープロールを清掃具用ケース１に収容する際に、清掃具１０の鍔部１３は、下レール部８の軸方向における一端８ａ側に載置されて、軸方向他端８ｂ側に向けて下レール部上を摺動され、下レール部８の中央部８ｃ側において、下レール部８と上レール部９とによって保持される一方、このように収容された粘着テープロールを筒状体から取り出す際には、清掃具１０の鍔部１３は、下レール部上を軸方向の他端８ｂ側から一端８ａ側に摺動され、下レール部８の一端８ａ側において、前記保持が解除されるため、清掃具１０に支持された粘着テープロールの収脱が容易にできて使い勝手が良い。
【００４６】  また、かかるケース付清掃具、清掃具用ケース１によれば、鍔部１３が下レール部８上を摺動される際に、上レール部９によって、取手１４が筒壁開口７内を軸方向に沿って移動されるため、取手１４を把持して清掃具１０を筒状体に対して操作することができ、清掃具１０に支持された粘着テープロールの収脱が容易にできて使い勝手が良い。
【００４７】  また、かかるケース付清掃具、清掃具用ケース１によれば、下レール部８の一端側部分８Ａと中央部側部分８Ｃとは略等しく構成されているため、清掃具１０に支持された粘着テープロールが筒状体に収容される際に、鍔部１３は、下レール部８の軸方向における一端８ａ側に対して確実に載置できると共に、鍔部１３は、軸方向他端８ｂ側に向けて下レール部８上を摺動された際に、下レール部８の中央部８ｃ側において、下レール部８と上レール部９とによって確実に保持される。
【００４８】  また、かかるケース付清掃具、清掃具用ケース１によれば、清掃具１０に支持された粘着テープロールが筒状体に対して所定の収容位置に収容された状態で、係合用突起９０が取手１４に係合することによって、清掃具１０の鍔部１３が下レール部８の一端８ａ側に軸方向に沿って摺動されることを抑制でき、清掃具１０に支持された粘着テープロールが筒状体から不用意に取り出されることを防止できる。一方、収容された粘着テープロールを筒状体から取り出す際には、係合用突起９０による取手１４の係合を解除することで、清掃具１０の鍔部１３を下レール部８の一端８ａ側に軸方向に沿って摺動させることができる。
【００４９】  また、かかるケース付清掃具、清掃具用ケース１によれば、清掃具１０に支持された粘着テープロールが筒状体に収容されるように、取手１４が筒状体の軸方向一端１ａ側から中央部１ｃ側に移動され係合用突起９０を通過するとき、取手１４が係合用突起９０による抑制に抗して移動されると、使用者が取手１４を介してクリック感覚を受けるため、清掃具１０に支持された粘着テープロールが筒状体に対して所定の収容位置に収容されたことを感知できる。
【００５０】  また、かかるケース付清掃具、清掃具用ケース１によれば、清掃具１０に支持された粘着テープロールが筒状体に対して所定の収容位置に収容される際、本体部１２の湾曲形状と天壁部４の平面形状とは、鍔部１３が下レール部８上を摺動されて、本体部１２と天壁部４とが当接した状態になったとき、本体部１２の移動が天壁部４によって抑制される共に、粘着テープロールが筒状体に対して所定の収容位置に収容されるため、清掃具１０に支持された粘着テープロールを清掃具用ケース１に対して的確に収容できる。
【００５１】  尚、本発明に係るケース付清掃具、清掃具用ケースは、上記実施形態に限定されるものではなく、本発明の要旨を逸脱しない範囲で種々の変更が可能である。
【００５２】  例えば、本実施形態では、鍔部１３が本体部１２の長手方向に沿う各側面に互いに短手方向外向きに凸設されており、鍔部１３を介して本体部１２の長手方向を筒状体の軸方向に沿わせるようにして、清掃具１０に支持された粘着テープロールを清掃具用ケース１に収容する場合について説明したが、これに限らず、鍔部１３が本体部１２の短手方向に沿う各側面に互いに長手方向外向きに凸設されて構成され、鍔部１３を介して本体部１２の短手方向を筒状体の軸方向に沿わせるようにして、清掃具１０に支持された粘着テープロールを清掃具用ケース１に収容することも可能である。
【００５３】  この場合、清掃具用ケース（筒状体）は、清掃具（本体部）の長手方向の長さに対応する長尺な板状をなす底壁部と、底壁部の各短辺に立設されて長手方向に対向する一対の側壁部と、一対の側壁部の高さ方向端部同士を短手方向の中央部側から他端側に亘って連結する天壁部とを備える。このような筒状体には、短手方向（軸方向）一端における一端開口と、周方向の所定幅、かつ、短手方向（軸方向）一端から中央部に亘る筒壁開口とが形成されている。かかる筒状体は、筒壁開口を形成する筒壁縁部の短手方向（軸方向）一端から軸方向に沿って他端に亘る部分に凸設されて鍔部が摺動可能な下レール部と、該下レール部の軸方向における一端側を除く中央部側において、下レール部に対して筒状体の径方向外側に離間して設けられ、下レール部との間に鍔部を保持可能な上レール部とを備える。
【００５４】  また、本実施形態では、鍔部１３は、本体部１２の側面に長手方向に沿って連続的に設けられる場合について説明したが、これに限らず、鍔部は、本体部の側面に長手方向に沿って、離散的に複数設けられることも可能である。例えば、複数の鍔部１３は、長手方向に沿って、互いに所定の間隔を空けて複数設けられることが可能である。
【００５５】  また、本実施形態では、下レール部８の軸方向の長さにおいて、一端側部分８Ａの長さと、中央部側部分８Ｃの長さとの比は、１：１で構成される場合について説明したが、これに限らず、一端側部分８Ａの長さと、中央部側部分８Ｃの長さとの比は、１：３、２：１、又は、３：１などで構成されることも可能である。
【００５６】  また、本実施形態では、下レール部８は、筒壁開口７を形成する筒壁縁部７ａの軸方向一端１ａから軸方向に沿って他端１ｂに亘る部分に凸設される場合について説明したが、これに限らず、下レール部８は、筒壁開口７を形成する筒壁縁部７ａのうち、軸方向一端１ａから中央部１ｃに沿う部分に凸設される構成も可能である。
【００５７】  また、本実施形態では、筒壁開口７は、軸方向一端１ａから中央部１ｃに亘って形成される場合について説明したが、これに限らず、筒壁開口７は、軸方向一端１ａから他端１ｂに亘って形成されることも可能である。
【００５８】  この場合、上レール部９は、下レール部８の軸方向における一端８ａ側を除く中央部８ｃ側から他端８ｂ側において、下レール部８に対して筒状体の径方向外側に離間して筒状体に設けられることが可能である。その他、上レール部９は、下レール部８の軸方向における一端８ａ側と他端８ｂ側とを除く中央部８ｃ側において、下レール部８に対して筒状体の径方向外側に離間して筒状体に設けられることも可能である。尚、上レール部９には、筒状体の軸方向の中心に対して左右対称となるように、軸方向一端側寄りの位置と他端側寄りの位置とに係合用突起９０が各々形成されても良い。このとき、長手方向（軸方向）における係合用突起９０間の長さは、各係合用突起９０が取手１４の短手方向で中央壁部１４ｃの両側に密着して位置するような長さで構成されることができる。かかる構成では、取手１４は、係合用突起９０間に画定される領域の軸方向両側に位置する係合用突起９０に係合されるため、清掃具に支持された粘着テープロールが筒状体から不用意に取り出されることを確実に防止できる。
【００５９】  また、本実施形態では、本体部１２が湾曲形状をなし、天壁部４が平面形状をなして、本体部１２と天壁部４とが当接するように構成される場合について説明したが、これに限らず、本体部１２が粘着テープロールの軸方向に沿う平面形状をなし、筒状体の中央部１ｃ側における天壁部４の一端側が高さ方向下方に凸をなす湾曲形状をなして、本体部１２と天壁部４とが当接可能に構成されることも可能である。
【００６０】  また、本実施形態では、清掃具１０は、芯体１１を備えて構成される場合について説明したが、これに限らず、清掃具１０は、芯体１１を備えない構成にすることも可能である。この場合、清掃具１０は、粘着テープロールの軸方向一端側と他端側とを各々支持する一端支持部と他端支持部とを有する本体部を備えて構成されることが可能である。その他、清掃具１０は、粘着テープロールの軸方向一端側と他端側との何れか一方を支持する支持部を備えて構成されることも可能である。
【００６１】  また、本実施形態では、粘着テープロールは、中心線上に沿って軸孔が形成されるように、テープ状基材を粘着面である一方の面を外側にして中心線の周りに巻回してなる構成について説明したが、これに限らず、粘着テープロールは、中心線上に沿って軸孔が形成されるように、テープ状基材を粘着面である一方の面を内側にして中心線の周りに巻回してなる構成でも良いし、粘着テープロールは、テープ状基材の一方及び他方の面がともに粘着面で構成されることも可能である。
【符号の説明】
【００６２】  １…清掃具用ケース（筒状体）、１ａ…筒状体の一端、１ｂ…筒状体の他端、１ｃ…筒状体の中央部、２…底壁部、３…側壁部、４…天壁部、５…筒状体の一端開口、６…筒状体の他端開口、７…筒状体の筒壁開口、７ａ…筒壁縁部、８…下レール部、８Ａ…一端側部分、８Ｃ…中央部側部分、８ａ…下レール部の一端、８ｂ…下レール部の他端、８ｃ…下レール部の中央部、９…上レール部、１０…清掃具、１１…芯体、１１ａ…芯体の一端部、１１ｂ…芯体の他端部、１２…本体部、１２ａ…一端支持部、１２ｂ…他端支持部、１３…鍔部、１４…取手、１４ａ…前壁部、１４ｂ…側壁部、１４ｃ…中央壁部、９０…係合用突起
【図１】
2015056310.tif 000003
【図２】
2015056310.tif 000004
【図３】
2015056310.tif 000005
【図４】
2015056310.tif 000006
【図５】
2015056310.tif 000007
【図６】
2015056310.tif 000008
【図７】
2015056310.tif 000009
【図８】
2015056310.tif 000010
【国際調査報告】
2015056310.tif 000011
2015056310.tif 000012
2015056310.tif 000013
2015056310.tif 000014